(57)【特許請求の範囲】
【請求項１】
枠体内から引出され、且つ前記枠体に引き込まれる抽斗等の被取付体に取付けてその移動を補助するための飛び出し装置であって、
前記被取付体の外方面に取付けられた前方ローラーと、
前記枠体に取付けられ、前記前方ローラーに係合するアーム体と、
前記アーム体を、前記前方ローラーを介して前記被取付体を前記枠体から引出す第１方向に常に付勢する付勢手段と、
前記アーム体に係合して、その移動を阻止する移動阻止手段と、
前記移動阻止手段の前記アーム体との係合を解除する係合解除手段とを備えた、飛び出し装置。
【請求項２】
前記アーム体は前記第１方向とは反対方向への移動が所定以上進行した時の第１の位置から前記第１方向に交差する方向の第２の位置に回転移動し、
前記移動阻止手段は、前記第２の位置に回転移動した前記アーム体の一部に係合する、請求項１記載の飛び出し装置。
【請求項３】
前記係合解除手段は、
前記第２の位置における前記アーム体の他の一部に当接状態となる解除板と、前記解除板に接続され、移動によって前記アーム体を前記解除板を介して前記第１の位置に移動させる押出し棒とからなる、請求項２記載の飛び出し装置。
【請求項４】
前記被取付体の前面扉の一部に取付けられ、押込み自在で且つ押込む前の状態に復帰するように付勢されているボタン本体を更に備え、
前記ボタン本体の裏面に対向するように前記押出し棒は配置され、前記ボタン本体を押し込むことによって前記押出し棒は移動する、請求項３記載の飛び出し装置。
【請求項５】
前記アーム体には、前記被取付体が前記枠体から引出された状態から前記第１の位置までの移動をガイドする第１ガイド片及び第２ガイド片を有し、
前記第２の位置への移動は、前記第２ガイド片のガイドが終了した位置において生じると共に、前記第１ガイド片は前記第２の位置への位置決め機能を有する、請求項２から請求項４のいずれかに記載の飛び出し装置。
【請求項６】
前記被取付体の前記外方面であって、前記前方ローラーに対して前記被取付体の引き込み方向側に取付けられた後方ローラーを更に備え、
前記被取付体を前記枠体の外から前記枠体に引き込むように移動させたとき、前記後方ローラーは前記アーム体と係合して、前記アーム体を前記第１方向とは反対方向に移動させ、前記移動阻止手段に係合させる、請求項１から請求項５のいずれかに記載の飛び出し装置。
【請求項７】
前記付勢手段による前記アーム体の移動を所定位置で停止させるストッパーを更に備え、
前記アーム体はその外方側に位置する前アームと、内方側に位置する後アームとからなり、前記前アームは前記後アームに対して前記第１方向に回転自在となるように接続され、前記ストッパーは前記後アームに係合する、請求項６記載の飛び出し装置。
【発明の詳細な説明】
【０００１】
【発明の属する技術分野】
この発明は飛び出し装置に関し、特に調理台の抽斗等に取付けられて用いられる飛び出し装置に関するものである。
【０００２】
【従来の技術】
従来、調理台等に組込まれた抽斗等には使い勝手を向上させるためにいわゆる飛び出し装置が取付けられているものが多い。
【０００３】
すなわち、この飛び出し装置は、抽斗が「閉」状態にある時に、一旦抽斗を押し込むように力を加えると、これをトリガーとして抽斗を押出す力が働くように構成したものである。これによって、このような装置が取付けられていないものに比べて、引出しに要する力が低減されて抽斗がスムーズに引出されるため使い勝手が良い。
【０００４】
【発明が解決しようとする課題】
上記のような従来の飛び出し装置は、その内部構造が複雑なものが多く、コスト的に不利であり、又それだけ故障等が生じやすい。
【０００５】
この発明は上記のような課題を解決するためになされたもので、構造が単純で且つ動作の信頼性が高い飛び出し装置を提供することを目的とする。
【０００６】
【課題を解決するための手段】
上記の目的を達成するために、請求項１記載の発明は、枠体内から引出され、且つ枠体に引込まれる抽斗等の被取付体に取付けてその移動を補助するための飛び出し装置であって、被取付体の外方面に取付けられた前方ローラーと、枠体に取付けられ、前方ローラーに係合するアーム体と、アーム体を、前方ローラーを介して被取付体を枠体から引出す第１方向に常に付勢する付勢手段と、アーム体に係合して、その移動を阻止する移動阻止手段と、移動阻止手段のアーム体との係合を解除する係合解除手段とを備えたものである。
【０００７】
このように構成すると、係合解除手段を能動化させると、アーム体が付勢されてローラーに被取付体を引出す方向の力を伝達する。
【０００８】
請求項２記載の発明は、請求項１記載の発明の構成において、アーム体は第１方向とは反対方向への移動が所定以上進行した時の第１の位置から第１方向に交差する方向の第２の位置に回転移動し、移動阻止手段は、第２の位置に回転移動したアーム体の一部に係合するものである。
【０００９】
このように構成すると、アーム体を第１方向とは反対方向に移動させると、アーム体は第１の位置から第２の位置へ回転移動し移動阻止手段が能動化する。
【００１０】
請求項３記載の発明は、請求項２記載の発明の構成において、係合解除手段は第２の位置におけるアーム体の他の一部に当接状態となる解除板と、解除板に接続され、移動によってアーム体を解除板を介して第１の位置に移動させる押出し棒とからなるものである。
【００１１】
このように構成すると、押出し棒を移動させると、係合解除手段が能動化する。
【００１２】
請求項４記載の発明は、請求項３記載の発明の構成において、被取付体の前面扉の一部に取付けられ、押込み自在で且つ押込む前の状態に復帰するように付勢されているボタン本体を更に備え、ボタン本体の裏面に対向するように押出し棒が配置され、ボタン本体を押込むことによって押出し棒が移動するものである。
【００１３】
このように構成すると、ボタン本体を押し込むことによって係合解除手段が能動化する。
【００１４】
請求項５記載の発明は、請求項２から請求項４のいずれかに記載の発明の構成において、アーム体には被取付体が枠体から引出された状態から第１の位置までの移動をガイドする第１ガイド片及び第２ガイド片を有し、第２の位置への移動は、第２ガイド片のガイドが終了した位置において生じると共に、第１ガイド片は第２の位置への位置決め機能を有するものである。
【００１５】
このように構成すると、被取付体の引出し状態から第１位置までのアーム体の移動が安定する。
【００１６】
請求項６記載の発明は、請求項１から請求項５のいずれかに記載の発明の構成において、被取付体の外方面であって、前方ローラーに対して被取付体の引込み方向側に取付けられた後方ローラーを更に備え、被取付体を枠体の外から枠体に引き込むように移動させたとき、後方ローラーはアーム体と係合して、アーム体を第１方向とは反対方向へ移動させ、移動阻止手段に係合させるものである。
【００１７】
このように構成すると、被取付体を初期取付時に枠体に対して移動させると、移動阻止手段が能動化する。
【００１８】
請求項７記載の発明は、請求項６記載の発明の構成において、付勢手段によるアーム体の移動を所定位置で停止させるストッパーを更に備え、アーム体はその外方側に位置する前アームと、内方側に位置する後アームとからなり、前アームは後アームに対して第１方向に回転自在となるように接続され、ストッパーは後アームに係合するものである。
【００１９】
このように構成すると、被取付体を枠体から引出して後方ローラーがアーム体に接触した際、アーム体の前アームが後アームに対して回転する。
【００２０】
【発明の効果】
以上説明したように、請求項１記載の発明は、係合解除手段を能動化すると、被取付体を引出す方向に力が伝達されるため、簡易な構造で被取付体が枠体から安定して引出される。
【００２１】
請求項２記載の発明は、請求項１記載の発明の効果に加えて、アーム体を第１方向とは反対方向に移動させると、移動阻止手段が能動化するため、被取付体の構造に合わせてアーム体の移動を容易に阻止した固定状態とすることができる。
【００２２】
請求項３記載の発明は、請求項２記載の発明の効果に加えて、押出し棒を移動させると係合解除手段が能動化するため、被取付体の構造に合わせて押出し棒を移動させるようにすればよいため使い勝手が向上する。
【００２３】
請求項４記載の発明は、請求項３記載の発明の効果に加えて、ボタン本体を押し込むことによって被取付体にこれを引出そうとする力が加わるため引出しが容易となる。
【００２４】
請求項５記載の発明は、請求項２から請求項４のいずれかに記載の発明の効果に加えて、アーム体の移動が安定するため、被取付体のスムーズな収納動作が可能となる。
【００２５】
請求項６記載の発明は、請求項１から請求項５のいずれかに記載の発明の効果に加えて、被取付体を枠体に対して押し込むように移動させると、被取付体は枠体から押し戻されることなく枠体に取付けることができる。
【００２６】
請求項７記載の発明は、請求項６記載の発明の効果に加えて、引出し時に後方ローラーがアーム体に接触した時にはアーム体の前アームが後アームに対して回転するため、被取付体の引出しをスムーズに行うことができる。
【００２７】
【発明の実施の形態】
図１はこの発明の第１の実施の形態による飛び出し装置が組込まれた調理台の外観正面図であり、図２は図１で示したＩＩ−ＩＩラインの断面図であり、図３は図２で示したＩＩＩ−ＩＩＩラインの拡大断面図であり、図４は図３で示したＩＶ−ＩＶラインから見た図であり、図５は図４で示したＶ−Ｖラインから見た図である。
【００２８】
これらの図を参照して、シンク１４が取付けられている調理台１３の前面板１５に抽斗１６及び開閉扉１９が取付けられている。抽斗１６はその中央に取手１７が、その左下に押込み自在の押しボタン６１が各々設けられている。調理台１３内に取付けられた枠体２６内に収納されている抽斗１６は具体的には上方が開放の箱型形状を有している。すなわち、抽斗１６は底板２４と、底板２４の一辺から立ち上がり、調理台１３の前面板１５の外方に面する前面扉２１と、前面扉２１が接する底板２４の辺のうち隣接の２辺から立ち上がる１対の側板２２ａ，側板２２ｂと、底板２４の残りの一辺から立ち上がる後方板２３とから構成されている。
【００２９】
抽斗１６の底板２４の下面には回動自在な前方ローラー３０及び後方ローラー３１が取付けられている。又、底板２４の下方であって枠体２６に掛け渡された支持板３３の上に飛び出し装置２９が取付けられている。
【００３０】
飛び出し装置２９は支持板３３に取付けられたベース体３５を中心に構成されている。ベース体３５は、断面がコの字状で軸方向に伸びる胴部７７と、胴部７７の一方端に接続され、水平方向に伸びる板状の第１フランジ部７８と、胴部７７の他方に接続され、水平方向に伸びる板状の第２フランジ部７９とから構成されている。胴部７７内には引張バネ４２が収納されており、引張バネ４２の一端は固定ピン４３に取付けられ、他方はアーム体３７に形成された開口４７に取付けられている。そして引張バネ４２は、被取付体となる抽斗１６を枠体２６から引出す第１方向、すなわち図４においては下方向にアーム体３７を常に付勢するように機能する。
【００３１】
アーム体３７は平面視において略々Ｔ字形状を有している。すなわち、アーム体３７は、開口４７が形成されているベース４６と、ベース４６の上方左側においてベース４６に対して直角方向に延びる作動アーム４８と、ベース４６の上方右側方向に接続され、ベース４６に対して直角方向に延びる前アーム３８及び後アーム３９とから構成されている。
【００３２】
ベース４６の下方部には垂直方向に延びる第１ガイド片５６が形成されており、第１ガイド片５６はベース体３５の胴部７７の側面に当接してアーム体３７のそれ以上の左方向への移動を阻止している。アーム体３７の作動アーム４８はベース体３５の胴部７７の左側面上方端から下方に形成された第１スリット５９からその一部が突き出るように位置している。
【００３３】
前アーム３８は後アーム３９に対してピン４０を介して図４に示した位置から時計方向周りには回転自在であるが、反時計方向周りには回転できないように設定されている。すなわち前アーム３８に対して時計方向周りの力が加わると後アーム３９はその位置のまま前アーム３８のみが回転することになる。一方、前アーム３８に反時計方向周りの力が加わると、前アーム３８は後アーム３９と共に一体となって移動することになる。尚、前アーム３８はピン４０に取り付けられたスプリング４４によって後アーム３９に対して反時計方向周りに付勢されている。従って、前アーム３８に対して時計方向周りの力が加わって移動した場合、その力が消失すると反時計方向周りに移動して後アームに対して元の位置に復帰する。
【００３４】
ベース体３５の第１フランジ部７８の上面には、胴部７７に沿うようにして係合解除手段となる押出し棒３６及び解除板５２が取付けられている。
【００３５】
押出し棒３６は第１フランジ部７８に固定された第１支持部７４及び第２支持部７５を貫通すると共に、その軸方向に対して移動自在となるように取付けられている。押出し棒３６の下方側には第１リング７１が取付けられ、第１リング７１と第１支持部７４との間には押出し棒３６の周りに圧縮バネ５０が取付けられている。これによって圧縮バネ５０は押出し棒３６に対して下方向へ移動するように常に付勢することになる。
【００３６】
一方、押出し棒３６の上方側には第２リング７２が取付けられ、第２リング７２と第２支持部７５との間には押出し棒３６周りに圧縮バネ５１が取付けられている。これによって押出し棒３６に対して圧縮バネ５１は上方に移動するように常に付勢することになる。このように圧縮バネ５０及び圧縮バネ５１が押出し棒３６に取付けられているため、押出し棒３６の静止位置は圧縮バネ５０と圧縮バネ５１との力のバランスによって定まることになる。従って、押出し棒３６に対してその軸方向に力を加えて移動させた場合、その加えた力を取り除くと、押出し棒３６は元の静止位置に常に戻ることになる。
【００３７】
押出し棒３６の上方端は第２リング７２を介して解除板５２に接続されている。解除板５２の上方部には屈曲部５４が形成され、図４の状態にあっては、屈曲部５４がアーム体３７の作動アーム４８に当接状態で係合することになる。
【００３８】
尚、図４の状態にあっては、すなわち、図２に示すように被取付体となる抽斗１６が枠体２６内に収納された状態にあるときは、抽斗１６の底板２４の裏面に取付けられている前方ローラー３０がアーム体３７の前アーム３８の下方端に当接した状態となっている。又、アーム体３７の後アーム３９の外側に形成されている第２ガイド片５７は、後述するようにアーム体３７の移動をガイドする。そして、第２ガイド片５７を形成する後アーム３９に接続する垂直部が、ベース体３５の胴部７７の右側面に形成されたスリットに係合して、引張バネ４２の付勢力に抗してアーム体３７を下方向に移動させないストッパーとしての機能を発揮する。
【００３９】
図６は図１で示したＶＩ−ＶＩラインの拡大断面図である。
【００４０】
図を参照して、押しボタン６１はその裏面側に前面扉２１に掛け渡された板バネ６３が取付けられており、その背面の中央に図４で示した押出し棒３６が近接した状態で対向するように取付けられている。従って、抽斗１６の前面側から押しボタン６１を内部に押込むように押圧すると、押しボタン６１を構成するボタン本体６２は図に示すように一点鎖線の位置に移動する。すなわち、ボタン本体６２の移動に伴って押出し棒３６もその内方に進行することになる。ボタン本体６２に対する押圧を停止すると、板バネ６３の作用によってボタン本体６２は元の位置に復帰する。又、押出し棒３６も図４で示した圧縮バネ５０の作用によって元の位置に復帰することになる。
【００４１】
そこで、図６で示した押しボタン６１を操作することによる飛び出し装置２９の作用について説明する。図４に示した状態から押出し棒３６が上方向に移動すると、この移動は軸５３を介して解除板５２に伝達される。すなわち解除板５２も図において上方方向に移動する。これによって解除板５２の屈曲部５４が作動アーム４８に当接してこれを上方方向に移動させることになる。ところがアーム体３７は引張バネ４２によって下方向に常に付勢されているため、作動アーム４８に加わった力によって、アーム体３７は開口４７を中心として時計方向周りに回転することになる。これによって前アーム３８も時計方向周りに回転し、抽斗１６に取付けられている前方ローラー３０に対して図４において下方向に移動するように力を加えることになる。その結果、抽斗１６は枠体２６から押出されるように移動を開始する。
【００４２】
図７は図４で示した状態から更にアーム体３７が時計方向周りに回転して移動した状態を示した図であり、図８は図７で示したＶＩＩＩ−ＶＩＩＩラインから見た図である。
【００４３】
これらの図を参照して、ベース体３５の胴部７７の側面の上方側には幅の大きな前部スリット６６と幅の小さな後部スリット６７とからなる第２スリット６５が形成されている。一方、アーム体３７の後アーム３９に取付けられている第２ガイド片５７は胴部７７の側壁６９に対してガイドするように移動するが、第２スリット６５の前部スリット６６に対しては挿通自在となるようにその大きさが設定されている。又、アーム体３７のベース４６は胴部７７に形成された後部スリット６７に対して移動自在となるようにその厚さが設定されている。更に、ベース４６に形成されている第１ガイド片５６は胴部７７の側壁６９に常時沿うように設定されている。
【００４４】
このようにアーム体３７及び胴部７７が形成されているため、図４に示した状態からアーム体３７が更に時計方向周りに移動すると、アーム体３７の第２ガイド片５７は前部スリット６６を通して外方に移動することになる。この状態でアーム体３７は引張バネ４２によって下方向に付勢されているため、第２ガイド片５７が前部スリット６６を抜け出た後ではアーム体３７は下方向に移動する。
【００４５】
この状態が図７において二点鎖線で示されている。すなわち、アーム体３７は、第１ガイド片５６及び第２ガイド片５７がベース体３５の胴部７７の側壁６９に沿った状態で移動する。従ってアーム体３７を構成する前アーム３８及び後アーム３９は、胴部７７の軸方向に対してほぼ直角の状態で下方向に移動することになる。
【００４６】
これによって抽斗１６に取付けられている前方ローラー３０は更に下方向に移動し、結果として抽斗１６は更に枠体２６から外方に引き出されることになる。この時アーム体３７の作動アーム４８は、胴部７７の左側面に形成された第１スリット５９に沿って移動するため、アーム体３７は図７で示す状態において上下にぶれることなく安定して移動することが可能となる。アーム体３７が更に下方向に移動すると、第１ガイド片５６が後部スリット６７の終端に当接して、その移動が停止する。この停止位置まで前方ローラー３０は更に移動して抽斗１６が引出されることになる。
【００４７】
この後更に抽斗１６を取手１７を用いて引出すようにすると、抽斗１６に取付けられている後方ローラー３１も図７において下方向に移動することになる。後方ローラー３１の移動方向にはアーム体３７の前アーム３８が位置するように設定されているため、後方ローラー３１は前アーム３８に当接する。ところが、前アーム３８は上述のように後アーム３９に対してピン４０を介して時計方向周りに回転自在となるように設定されている。従って、前アーム３８は破線のように回転し、後方ローラー３１の下方への移動を阻止することはない。これによって前方ローラー３０及び後方ローラー３１も図７の仮想線の位置に移動して完全に抽斗１６を枠体２６から引出すことが可能となる。
【００４８】
次に、抽斗１６を枠体２６から引出した状態から図２に示した状態にセットする場合について説明する。このセット前の状態は図７で言えば前方ローラー３０及び後方ローラー３１が仮想線で示した位置にある状態が対応している。この状態から抽斗１６を枠体２６に対して押込むように移動させると、これに伴って前方ローラー３０及び後方ローラー３１も上方に移動する。そして後方ローラー３１が実線で示したアーム体３７の前アーム３８に当接することになる。
【００４９】
この状態から後方ローラー３１を更に上方向へ移動させると、前アーム３８はこの状態において後アーム３９に対して回転できないように構成されているため、後方ローラー３１から加わった力は後アーム３９に伝達されることになる。ところが後アーム３９には第２ガイド片５７が形成され、ベース４６には第１ガイド片５６が形成され、各々胴部７７の側壁６９に沿ったガイドとして機能するため、アーム体３７は回転することなくその状態のまま仮想線で示す位置まで上方に移動する。
【００５０】
そして後方ローラー３１によってアーム体３７に対して更に上方に力が加わると、第２ガイド片５７は前部スリット６６の位置まで達することになり第２ガイド片５７のガイド機能が消失する。するとアーム体３７は上昇しながら時計方向周りに回転移動することになる。この状態でも第１ガイド片５６は胴部７７の側壁６９に沿っているためガイド機能は残っており、アーム体３７の所定以上の反時計方向周りの移動を阻止することになる。
【００５１】
この状態で更に後方ローラー３１が上方に移動するとアーム体３７は図４で示した状態に移動し、作動アーム４８は解除板５２の屈曲部５４に当接した状態となってその移動は停止する。前アーム３８は図７で示した位置から図４に示すような位置に移動するため、後方ローラー３１は前アーム３８の端部を通り過ぎるように移動する。
【００５２】
更に抽斗１６を押込むと、移動してきた前方ローラー３０が図４に示すような前アーム３８に当接した状態となり、抽斗１６の枠体２６に対するセットが完了する。この後は上述したように押出し棒３６を駆動することによって、アーム体３７の係合が解除して抽斗１６は枠体２６から押出されることになり、以下同様の動作が繰り返されることになる。
【００５３】
尚、上記の実施の形態では、飛び出し装置を抽斗の底面に取り付けているが、この取付位置は取付対象に応じて自在に決めれば良い。
【００５４】
又、上記の実施の形態では、飛び出し装置を調理台に組み込まれた抽斗に取り付けているが、同様に押し込み、引出しによって使用する構造の被取付体であれば同様に適用できる。
【００５５】
更に、上記の実施の形態では、係合解除手段として押出し棒及び解除板を用いているが、アーム体の作動アームを押圧してこれを回転させることができるものであれば、他の構造でも良い。
【００５６】
更に、上記の実施の形態では、付勢手段として引張バネを用いているが、アーム体に対して常に一定方向に付勢するものであれば他の構造でも良い。
【００５７】
更に、上記の実施の形態では、抽斗の底板に取付けた前方ローラー及び後方ローラーの位置を特定しているが、引き出し装置のアーム体に同様に係合するものであれば、他の構造を採用したり、他の位置に配置しても良い。
【図面の簡単な説明】
【図１】この発明の第１の実施の形態による飛び出し装置を取付けた状態の抽斗が組み込まれた調理台の正面図である。
【図２】図１で示したＩＩ−ＩＩラインの断面図である。
【図３】図２で示したＩＩＩ−ＩＩＩラインの拡大断面図である。
【図４】図３で示したＩＶ−ＩＶラインの断面図である。
【図５】図４で示したＶ−Ｖラインから見た図である。
【図６】図１で示したＶＩ−ＶＩラインの拡大断面図である。
【図７】図４で示した状態からアーム体が更に移動した状態を示した図である。
【図８】図７で示したＶＩＩＩ−ＶＩＩＩラインから見た図である。
【符号の説明】
１６…抽斗
２６…枠体
２９…飛び出し装置
３０…前方ローラー
３１…後方ローラー
３６…押出し棒
３７…アーム体
３８…前アーム
３９…後アーム
４０…ピン
４２…引張バネ
５２…解除板
５６…第１ガイド片
５７…第２ガイド片
６１…押しボタン
６２…ボタン本体
尚、各図中同一符号は同一又は相当部分を示す。
【図１】
0003619510.tif 000002
【図２】
0003619510.tif 000003
【図３】
0003619510.tif 000004
【図４】
0003619510.tif 000005
【図５】
0003619510.tif 000006
【図６】
0003619510.tif 000007
【図７】
0003619510.tif 000008
【図８】
0003619510.tif 000009